(57)【要約】【課題】二色以上の液滴で形成される多次色の画像における記録媒体の搬送速度による色差を小さくすることが課題である。【解決手段】搬送速度が３０ｍ／分の場合は、先発色マゼンタ（Ｍ）を大滴で吐出し、後発色イエロー（Ｙ）を小滴で吐出するとｂ＊が３０となる。また、搬送速度が１００ｍ／分の場合は、先発色マゼンタ（Ｃ）を大滴で吐出し、後発色イエロー（Ｙ）を中滴で吐出するとｂ＊が３０となる。同様に搬送速度が１５０ｍ／分の場合は、先発色マゼンタ（Ｍ）を大滴で吐出し、後発色イエロー（Ｙ）を大滴で吐出するとｂ＊が３０となる。【選択図】図８
2015013454.tif 000002
【特許請求の範囲】
【請求項１】
記録媒体の搬送速度が変更可能な搬送装置と、
前記搬送装置によって搬送される前記記録媒体の搬送方向に沿って順番に並べられた複数の液滴吐出装置と、
二つ以上の前記液滴吐出装置から吐出された異なる色の液滴で多次色の画像を形成する場合には、搬送速度に応じて、前記液滴吐出装置から吐出され前記記録媒体に着弾した単位面積当たりの液滴の濃度を変化させる制御手段と、
を備える画像形成装置。
【請求項２】
前記制御手段は、一滴当たりの液量を変化させて、単位面積当たりの液滴の濃度を変化させる、
請求項１に記載の画像形成装置。
【請求項３】
前記制御手段は、単位面積当たりの液滴数を変化させて、単位面積当たりの液滴の濃度を変化させる、
請求項１又は請求項２に記載の画像形成装置。
【請求項４】
前記制御手段は、搬送方向下流側の前記液滴吐出装置から吐出される液滴の単位面積当たりの濃度を変化させる、
請求項１〜請求項３のいずれか１項に記載の画像形成装置。
【発明の詳細な説明】
【技術分野】
【０００１】
本発明は、画像形成装置に関する。
【背景技術】
【０００２】
特許文献１には、印刷媒体上にインク量の異なるＮ種類（Ｎは２以上の整数）のインク滴を記録可能な印刷装置で印刷する色のずれを修正するための色修正データを作成する色修正データ作成装置が開示されている。
【０００３】
この先行技術では、上記Ｎ種類の各インク滴によって所定の色彩値の色を出力するための標準のインク記録量を特定する記録量特定データを取得する記録量特定データ取得手段と、印刷装置にて出力させるターゲット色を特定するターゲット階調値によって印刷される色の色彩値を示す色彩値データを取得する色彩値データ取得手段と、上記色彩値データを参照して上記ターゲット階調値によって出力されるべき色の色彩値を特定し上記記録量特定データを参照して当該出力されるべき色に対応したインク記録量を上記Ｎ 種類の各インク滴について取得する記録量取得手段と、同取得したインク記録量と上記ターゲット階調値とを対応づけた色修正データを作成する色修正データ作成手段と、を備えている。
【先行技術文献】
【特許文献】
【０００４】
【特許文献１】特開２００５−２０４０５３号公報
【発明の開示】
【発明が解決しようとする課題】
【０００５】
本発明は、二色以上の液滴で形成される多次色の画像における記録媒体の搬送速度による色差を小さくすることが課題である。
【課題を解決するための手段】
【０００６】
請求項１の発明は、記録媒体の搬送速度が変更可能な搬送装置と、前記搬送装置によって搬送される前記記録媒体の搬送方向に沿って順番に並べられた複数の液滴吐出装置と、二つ以上の前記液滴吐出装置から吐出された異なる色の液滴で多次色の画像を形成する場合には、搬送速度に応じて、前記液滴吐出装置から吐出され前記記録媒体に着弾した単位面積当たりの液滴の濃度を変化させる制御手段と、を備える。
【０００７】
請求項２の発明は、前記制御手段は、一滴当たりの液量を変化させて、単位面積当たりの液滴の濃度を変化させる。
【０００８】
請求項３の発明は、前記制御手段は、単位面積当たりの液滴数を変化させて、単位面積当たりの液滴の濃度を変化させる。
【０００９】
請求項４の発明は、前記制御手段は、搬送方向下流側の前記液滴吐出装置から吐出される液滴の単位面積当たりの濃度を変化させる。
【発明の効果】
【００１０】
請求項１に記載の発明によれば、記録媒体の搬送速度に応じて液滴吐出装置から吐出され記録媒体に着弾した単位面積当たりの液滴の濃度が変化しない場合と比較し、二色以上の液滴で形成される多次色の画像における記録媒体の搬送速度による色差を小さくすることができる。
【００１１】
請求項２に記載の発明によれば、記録媒体の搬送速度に応じて一滴当たりの液量を変化させることで、二色以上の液滴で形成される多次色の画像における記録媒体の搬送速度による色差を小さくすることができる。
【００１２】
請求項３に記載の発明によれば、記録媒体の搬送速度に応じて単位面積当たりの液滴数を変化させることで、二色以上の液滴で形成される多次色の画像における記録媒体の搬送速度による色差を小さくすることができる。
【００１３】
請求項４に記載の発明によれば、搬送方向下流側の液滴の単位面積当たりの液滴の濃度を変化させることで、二色以上の液滴で形成される多次色の画像における記録媒体の搬送速度による色差を小さくすることができる。
【図面の簡単な説明】
【００１４】
【図１】一次色における搬送速度と光学濃度との関係を示すグラフである。
【図２】二次色ブルーにおける先発色シアン及び後発色マゼンタの搬送速度と光学濃度との関係を示すグラフである。
【図３】二次色グリーンにおける先発色シアン及び後発色イエローの搬送速度と光学濃度との関係を示すグラフである。
【図４】二次色レッドにおける先発色マゼンタ及び後発色イエローの搬送速度と光学濃度との関係を示すグラフである。
【図５】二次色ブルーにおける後発色マゼンタの液滴の大きさの違いによる搬送速度と光学濃度との関係を示すグラフである。
【図６】二次色レッドにおける後発色イエローの液滴の大きさの違いによる搬送速度とＬ＊との関係を示すグラフである。
【図７】二次色レッドにおける後発色イエローの液滴の大きさの違いによる搬送速度とａ＊との関係を示すグラフである。
【図８】二次色レッドにおける後発色イエローの液滴の大きさの違いによる搬送速度とｂ＊との関係を示すグラフである。
【図９】単位面積当たりの液滴数を変化させて単位面積当たりの液滴の濃度を変化させる例を示す（Ａ）は搬送速度が遅い場合の例であり、（Ｂ）は（Ａ）よりも搬送速度が速い場合に後発の液滴数を多くした例である。
【図１０】画像形成装置の全体構成を模式的に示す構成図である。
【発明を実施するための形態】
【００１５】
本発明の実施形態に係る画像形成装置の一例について説明する。
＜全体構成＞
まず、画像形成装置の全体構成について説明する。
【００１６】
図１０に示す画像形成装置１０は、高速で搬送される連帳紙Ｐにインクジェット方式で画像を形成する高速連帳紙インクジェットプリンタである。
【００１７】
画像形成装置１０は、連帳紙Ｐに画像を形成する画像形成ユニット３０と、画像形成ユニット３０に供給する連帳紙Ｐを収容する前処理ユニット１２と、画像形成ユニット３０から排出される連帳紙Ｐを収容する後処理ユニット１４と、を有している。
【００１８】
また、画像形成装置１０の画像形成ユニット３０には、制御部２０が設けられている。制御部２０は、画像形成装置１０全体の各種制御を行っている。
【００１９】
なお、前処理ユニット１２と画像形成ユニット３０との間、及び画像形成ユニット３０と後処理ユニット１４との間に、連帳紙Ｐの搬送量等を調整するバッファユニットを配置してもよい。
【００２０】
連帳紙Ｐは複数の搬送ローラ４２に巻き掛けられ、画像形成ユニット３０の内部に形成された搬送経路５０に沿って搬送されるようになっている。
【００２１】
画像形成ユニット３０の内部には、搬送経路５０に沿って搬送される連帳紙Ｐにインク滴（液滴）を吐出するブラック（Ｋ）、シアン（Ｃ）、マゼンタ（Ｍ）、及びイエロー（Ｙ）の４色それぞれに対応した４つの液滴吐出ヘッド７０Ｋ、７０Ｃ、７０Ｍ、７０Ｙが設けられている。
【００２２】
なお、以降、液滴吐出ヘッド７０について、ブラック（Ｋ）、シアン（Ｃ）、マゼンタ（Ｍ）、及びイエロー（Ｙ）を区別する場合は、符号の末尾にＫ，Ｃ，Ｍ，Ｙを付し、特に区別しない場合は、符号の末尾のＫ，Ｃ，Ｍ，Ｙを省略する。
【００２３】
各色の液滴吐出ヘッド７０は、搬送経路５０の一部を構成する上側の平坦部５２と対向して配置されている。また、液滴吐出ヘッド７０Ｋ、７０Ｃ、７０Ｍ、７０Ｙは、この順で連帳紙Ｐの矢印Ｋで示す搬送方向に並んで配置されている。
【００２４】
各液滴吐出ヘッド７０は、連帳紙Ｐの搬送方向Ｋに対して直交する方向に延びる長尺状とされている。また、各液滴吐出ヘッド７０による画像の形成領域は、連帳紙Ｐの幅以上となるように設定されている。
【００２５】
また、各液滴吐出ヘッド７０には、図示していないインクタンクから各色のインクが補充されるように構成されている。なお、本実施形態のインクは、水を主成分とする溶媒に顔料を分散させた水性顔料インクを用いている。また、本実施形態では、高画質化のために、浸透の遅いインクが採用されている。
【００２６】
後述するように、本実施形態では、各液滴吐出ヘッド７０は、大滴・中滴・小滴の三種類の大きさのインク滴を吐出することが可能となっている。なお、大滴、中滴、小滴の順番で一滴当たりの液量が多い。また、制御部２０が、インク滴の大きさを選択して吐出する。また、本実施形態では、大滴の液量は、11ｐＬであり、中滴の液量は8ｐＬであり、小滴の液量は5ｐＬである。
【００２７】
なお、液滴吐出ヘッド７０におけるインク滴を吐出する方式は、特に限定されない。サーマル方式や圧電方式等の周知技術を用いることができる。
【００２８】
画像形成ユニット３０の内部における各液滴吐出ヘッド７０の搬送方向Ｋの下流側（図１０では、液滴吐出ヘッド７０の下側）には、乾燥機６０が設けられている
【００２９】
乾燥機６０は、複数の赤外線ヒーター６２の輻射加熱により、連帳紙Ｐに吐出されたインク滴（液滴）の水分を蒸発させて乾燥させる。また、連帳紙Ｐと赤外線ヒーター６２との間はガラス６４によって仕切られている。このガラス６４は、搬送経路５０の一部を構成する下側の平坦部５４と対向して配置されている。
【００３０】
なお、図示していないファンによって、赤外線ヒーター６２が冷却されていると共に、図示していない送風装置によって、インク滴の水分が蒸発することで発生する高湿度の空気を排気している。
【００３１】
前処理ユニット１２は、画像形成ユニット３０へ供給される連帳紙Ｐが巻き付けられている供給ロール１６を備えており、この供給ロール１６は、図示せぬフレーム部材に矢印Ｎ方向に回転自在に支持されている。
【００３２】
一方、後処理ユニット１４は、画像が形成された連帳紙Ｐを巻き取る巻取ロール１８を備えている。そして、この巻取ロール１８が、図示していないモータから回転力を受けて矢印Ｎ方向に回転することで、連帳紙Ｐが搬送経路５０に沿って搬送されるようになっている。なお、図示していないモータの回転数を変更することで、連帳紙Ｐの搬送速度が変更可能となっている。また、連帳紙Ｐの搬送速度は、３０ｍ／分以上で２００ｍ／分以下である（可変幅は３０ｍ／分から２００ｍ／分）。
【００３３】
［画像形成動作］
つぎに、画像形成装置１０による連帳紙Ｐへの画像形成工程の概要を説明する。
【００３４】
後処理ユニット１４の巻取ロール１８を回転させることで、連帳紙Ｐに搬送方向Ｋの張力が付与され、連帳紙Ｐが搬送経路５０に沿って搬送される。
【００３５】
上側の平坦部５２を搬送される連帳紙Ｐに、各色の液滴吐出ヘッド７０が各色のインク滴（液滴）を吐出することで連帳紙Ｐに画像が形成される。
【００３６】
そして、連帳紙Ｐが下側の平坦部５４を搬送される際に、乾燥機６０がインク滴（液滴）の水分を蒸発させて乾燥させ、連帳紙Ｐに画像を定着させる。
【００３７】
なお、連帳紙Ｐの搬送速度が変更可能となっているので、制御部２０は、搬送速度に応じて、各液滴吐出ヘッド７０が吐出するインク滴の吐出周波数を調整する。
【００３８】
また、連帳紙Ｐの搬送速度は、速い方が画像形成の生産性は向上するが、遅い方が搬送安定性の面で有利であり画質が向上する。よって、使用者が目的に応じて、図示していないコントロールパネルを操作して、搬送速度を適宜設定するようになっている。
【００３９】
＜インク滴（液滴）の大きさ（液量）の制御＞
次に、インク滴（液滴）の大きさ（液量）の制御（大滴・中滴・小滴の選択制御）について説明する。
【００４０】
制御部２０は、二つの異なる液滴吐出ヘッド７０から吐出される二色のインク滴（液滴）で二次色の画像を形成する場合には、搬送方向上流側の液滴吐出ヘッド７０から吐出されるインク滴（大滴）の後に、搬送方向下流側の液滴吐出ヘッド７０から吐出される後発のインク滴を、連帳紙Ｐの搬送速度に応じて、大滴、中滴、小滴のいずれかを選択して吐出させている。
【００４１】
＜作用効果＞
つぎに、二次色を形成する場合の後発のインク滴（液滴）の大きさ、つまり大滴・中滴・小滴を選択して吐出する制御を説明しつつ、本実施形態の作用効果を説明する
【００４２】
（搬送速度と光学濃度との関係）
まず、一次色の光学濃度及び二次色の光学濃度（ＯＤ）と連帳紙Ｐの搬送速度との関係を説明する。なお、光学濃度（ＯＤ）は、画像の濃さの客観的表現に用いられるもので、反射率をＲとするときＯＤ＝ｌｏｇ１０（１／Ｒ）で定義される値である。
【００４３】
図１には、ブラック（Ｋ）、シアン（Ｃ）、マゼンタ（Ｍ）、及びイエロー（Ｙ）の各色のインク滴（大滴）で形成した一次色の画像の光学濃度（ＯＤ）と搬送速度との関係が示されている。この図１を見ると判るように、各一次色の場合は、光学濃度（ＯＤ）は搬送速度によることなく、略一定である。
【００４４】
図２には、先発色がシアン（Ｃ）で後発色がマゼンタ（Ｍ）の二次色ブルーにおける先発色シアン（Ｃ）及び後発色マゼンタ（Ｍ）の光学濃度と搬送速度と関係が示されている。この図２を見ると判るように、先発色シアン（Ｃ）の光学濃度（ＯＤ）は搬送速度によることなく略一定であるが、後発色マゼンタ（Ｍ）の光学濃度は搬送速度が速くなるに従って低下している。
【００４５】
図３には、先発色がシアン（Ｃ）で後発色がイエロー（Ｙ）の二次色グリーンにおける先発色シアン（Ｃ）及び後発色イエロー（Ｙ）の光学濃度と搬送速度と関係が示されている。この図３を見ると判るように、先発色シアン（Ｃ）の光学濃度（ＯＤ）は搬送速度によることなく略一定であるが、後発色イエロー（Ｙ）の光学濃度は搬送速度が速くなるに従って低下している。
【００４６】
図４には、先発色がマゼンタ（Ｍ）で後発色がイエロー（Ｙ）の二次色レッドにおける先発色マゼンタ（Ｍ）及び後発色イエロー（Ｙ）の光学濃度と搬送速度と関係が示されている。この図４見ると判るように、先発色マゼンタ（Ｍ）の光学濃度（ＯＤ）は搬送速度によることなく略一定であるが、後発色イエロー（Ｙ）の光学濃度は搬送速度が速くなるに従って低下している。
【００４７】
これら、図２〜図４で示されているように、搬送速度によって後発のインク滴（後発色）の光学濃度が変化する。そして、このように、搬送速度によって後発のインク滴（後発色）の光学濃度が変化するため、二色の液滴で表現する二次色は、連帳紙Ｐの搬送速度によって光学濃度（ＯＤ）やＬ＊ａ＊ｂ＊（色味）が変化し、この結果、連帳紙Ｐの搬送速度により画像のΔＥ（色差）が発生する。つまり、連帳紙Ｐの搬送速度によって形成される画像にΔＥ（色差）が発生する（ΔＥ（色差）が大きくなる）。なお、Ｌ＊ａ＊ｂ＊は、国際照明委員会(CIE)が１９７６年に策定した色空間の規格である。
【００４８】
（制御方法）
このように、連帳紙Ｐの搬送速度によって、後発色の光学濃度（ＯＤ）が変化する（、具体的には搬送速度が速くなるに従って後発色の光学濃度（ＯＤ）が低下する、図２〜図４を参照）。そして、後発のインク滴（後発色）の光学濃度が搬送速度によって変化するため、連帳紙Ｐの搬送速度によって形成される画像のΔＥ（色差）が大きくなる。
【００４９】
そこで、本実施形態では、前述したように制御部２０は、二つの異なる液滴吐出ヘッド７０から吐出される二色のインク滴（液滴）で二次色の画像を形成する場合には、搬送方向上流側の液滴吐出ヘッド７０から吐出されるインク滴（大滴）の後に、搬送方向下流側の液滴吐出ヘッド７０から吐出される後発のインク滴を、連帳紙Ｐの搬送速度に応じて、画像のΔＥ（色差）が小さくなるように、大滴、中滴、及び小滴のいずれかを選択して吐出させている。
【００５０】
具体的には、搬送速度が遅い場合には、後発色の画像濃度が高いので後発のインク滴を小滴で吐出し、搬送速度が速くなるに従って、後発色の濃度が低下するので後発のインク滴を中滴又は大滴で吐出する。
【００５１】
なお、予め二次色毎に画像のΔＥ（色差）が小さくなる搬送速度と後発のインク滴の大きさ（大滴・中滴・小滴）との関係を実験等で求め、この結果を制御部２０の記憶手段に記憶させておき、制御部２０は、これに基づいて搬送速度に応じて後発に吐出するインク滴の大きさ（大滴・中滴・小滴）を選択する（決定する）。
【００５２】
なお、後発のインク滴（後発色）の光学濃度の搬送速度による変化の程度は、インクの物性（浸透特性等）、各色の液滴吐出ヘッド７０間の間隔、及び連帳紙Ｐの浸透特性等に影響されるので、装置毎にそれぞれ予め実験等で求める。
【００５３】
（後発のインク滴の大きさの決定する方法の例）
つぎに、画像のΔＥ（色差）が小さくなる後発のインク滴の大きさ（大滴・中滴・小滴）を決定する方法の例を説明する。
【００５４】
［光学濃度の変動の抑制］
まず、光学濃度の変動を抑制して画像のΔＥ（色差）を小さくする場合について、先発色シアン（Ｃ）と後発色マゼンタ（Ｍ）とで二次色ブルー１００％画像を形成する場合の例で説明する。
【００５５】
図５は、先発色シアン（Ｃ）を大滴で吐出し、後発色マゼンタ（Ｍ）を大滴、中滴、小滴のいずれかで吐出した場合の光学濃度（ＯＤ）と連帳紙Ｐの搬送速度との関係を示している。
【００５６】
この図５から、目標とする標準濃度が０．９４５とすると、搬送速度が３０ｍ／分の場合は、先発色シアン（Ｃ）を大滴で吐出し、後発色マゼンタ（Ｍ）を小滴で吐出すると、標準濃度０．９４５となる。また、搬送速度が１００ｍ／分の場合は、先発色シアン（Ｃ）を大滴で吐出し、後発色マゼンタ（Ｍ）を中滴で吐出すると、標準濃度０．９４５となる。搬送速度が１９０ｍ／分の場合は、先発色シアン（Ｃ）を大滴で吐出し、後発色マゼンタ（Ｍ）を大滴で吐出すると、標準濃度０．９４５となる。
【００５７】
よって、二次色ブルー１００％画像を光学濃度０．９４５になるように形成する場合（光学濃度０．９４５に近づける場合）に選択する後発色マゼンタ（Ｍ）の大きさは、搬送速度が３０ｍ／分以上で６０ｍ／分未満では小滴とし、搬送速度が６０ｍ／分以上で１２０ｍ／分未満では中滴とし、搬送速度が１２０ｍ／分以上で２００ｍ／分以下では大滴とする。そして、これを制御部２０の記憶手段に記憶させる。
【００５８】
なお、その他の二次色グリーン及び二次色レッドも、同様に標準濃度が０．９４５となる搬送速度と後発色のインク滴の大きさとの関係を予め実験等によって求め、制御手段に記憶させる。
【００５９】
［色味の変動の抑制］
色味（Ｌ＊ａ＊ｂ＊）の変動を抑制して画像のΔＥ（色差）を小さくする場合について、先発色マゼンタ（Ｍ）と後発色イエロー（Ｙ）とで二次色レッド１００％画像を形成する場合の例を説明する。
【００６０】
図６は、先発色マゼンタ（Ｃ）を大滴で吐出し、後発色イエロー（Ｍ）を大滴、中滴、小滴のいずれかで吐出した場合のＬ＊と連帳紙Ｐの搬送速度との関係を示している。
【００６１】
図７は、先発色マゼンタ（Ｃ）を大滴で吐出し、後発色イエロー（Ｍ）を大滴、中滴、小滴のいずれかで吐出した場合のａ＊と連帳紙Ｐの搬送速度との関係を示している。
【００６２】
図８は、先発色マゼンタ（Ｃ）を大滴で吐出し、後発色イエロー（Ｍ）を大滴、中滴、小滴のいずれかで吐出した場合のｂ＊と連帳紙Ｐの搬送速度との関係を示している。
【００６３】
図６及び図７に示すように、Ｌ＊及びａ＊は、後発色イエロー（Ｍ）のインク滴の大きさ及び搬送速度によることなく、略一定である。
【００６４】
しかし、図８に示すように、ｂ＊は、後発色イエロー（Ｍ）のインク滴の大きさと搬送速度によって大きく変化する。
【００６５】
よって、二次色レッドの所望の色味を、図６〜図８に示すように、Ｌ＊＝５７、ａ＊＝４８、ｂ＊＝３０としたとき、図８から、搬送速度が４０ｍ／分の場合は、先発色マゼンタ（Ｍ）を大滴で吐出し、後発色イエロー（Ｙ）を小滴で吐出すると、所望の色味であるＬ＊＝５７、ａ＊＝４８、ｂ＊＝３０となる。また、搬送速度が１００ｍ／分の場合は、先発色マゼンタ（Ｃ）を大滴で吐出し、後発色イエロー（Ｙ）を中滴で吐出するとＬ＊＝５７、ａ＊＝４８、ｂ＊＝３０となる。同様に搬送速度が１５０ｍ／分の場合は、先発色マゼンタ（Ｍ）を大滴で吐出し、後発色イエロー（Ｙ）を大滴で吐出するとＬ＊＝５７、ａ＊＝４８、ｂ＊＝３０となる。
【００６６】
したがって、二次色レッド１００％画像をＬ＊＝５７、ａ＊＝４８、ｂ＊＝３０で形成する場合の選択する後発色マゼンタ（Ｍ）の大きさは、搬送速度が３０ｍ／分以上で６０ｍ／分未満では小滴とし、搬送速度が６０ｍ／分以上で１２０ｍ／分未満では中滴とし、搬送速度が１２０ｍ／分以上で２００ｍ／分以下では大滴とする。そして、これを制御部２０に記憶させる。
【００６７】
なお、その他の二次色マゼンタ及び二次色グリーンも同様に所望の色味のＬ＊、ａ＊、ｂ＊となる後発色のインク滴の大きさを予め実験等によって求め、制御手段に記憶させる。
【００６８】
（その他の制御）
なお、光学濃度の変動の抑制と色味変動の抑制との両方をバランスよく抑制するように、後発のインク滴を選択して、ΔＥ（色差）を抑制するようにしてもよい。
【００６９】
また、本実施形態では、前述したように制御部２０は、二つの異なる液滴吐出ヘッド７０から吐出される二色のインク滴（液滴）で二次色の画像を形成する場合に、搬送方向上流側の液滴吐出ヘッド７０から吐出されるインク滴（大滴）の後に、搬送方向下流側の液滴吐出ヘッド７０から吐出される後発のインク滴を、連帳紙Ｐの搬送速度に応じて、画像のΔＥ（色差）が小さくなるように、大滴、中滴、及び小滴のいずれかを選択して吐出させている。
【００７０】
しかし、搬送方向上流側の液滴吐出ヘッド７０から吐出するインク滴の大きさを連帳紙Ｐの搬送速度に応じて、画像のΔＥ（色差）が小さくなるように、大滴、中滴、及び小滴のいずれかを選択して吐出させてもよい。更に、搬送方向上流側と搬送方向下流側の両方の液滴吐出ヘッド７０に対して、インク滴の大きさを連帳紙Ｐの搬送速度に応じて、画像のΔＥ（色差）が小さくなるように、大滴、中滴、及び小滴のいずれかを選択して吐出させてもよい。
【００７１】
また、インク滴の大きさは、大滴、中滴、小滴の３つの構成に限定されるものではない。例えば、大滴と小滴の２つの構成であってもよいし、４つ以上の液量の違うインク滴を吐出する構成であってもよい。
【００７２】
そして、上述したいずれの構成においても、連帳紙Ｐの搬送速度に応じて、画像のΔＥ（色差）が小さくなるように、搬送速度とインク滴の大きさ（一滴当たりの液量）を予め実験等によって求め、制御部に記憶させる。
【００７３】
（単位面積当たりの液滴数による制御）
また、液滴吐出ヘッド７０が、インク滴の大きさを変えて吐出することができない場合は、搬送速度に応じて単位面積当たりの液滴数を変えることで、連帳紙Ｐの搬送速度によって形成される画像のΔＥ（色差）を小さくすることができる。
【００７４】
よって、次に単位面積当たりの液滴数を変化させる方法を例にあげて説明する。
【００７５】
図９（Ａ）に示すように、搬送速度が遅い場合は、白丸（○）で示す先発色のインク滴は単位面積当たり６滴吐出し、黒丸（●）で示す後発色のインク滴は単位面積当たり４滴吐出する。しかし、図９（Ｂ）に示すように、搬送速度が速い場合は、白丸（○）で示す先発色のインク滴は単位面積当たり６滴のままで、黒丸（●）で示す後発色のインク滴を単位面積当たり７滴吐出することで、連帳紙Ｐの搬送速度によって形成される画像のΔＥ（色差）を小さくすることができる。
【００７６】
なお、図９の例では、搬送速度に応じて、後発色のインク滴のインク滴数（液滴数）を変更したが、これに限定されない。搬送速度に応じて先発色のインク滴の滴数を変更してもよいし、搬送速度に応じて先発色のインク滴の滴数と後発色のインク滴の滴数との両方を変更してもよい。
【００７７】
更に、液滴の大きさと（一滴当たりの液量）と単位面積当たりの液滴数との両方を搬送速度に応じて変化させてもよい。
【００７８】
＜その他＞
尚、本発明は、上記実施形態に限定されない。
【００７９】
例えば、上記実施形態では、ブラック（Ｋ）、シアン（Ｃ）、マゼンタ（Ｍ）、及びイエロー（Ｙ）の４つの液滴吐出ヘッド７０を有する構成であったが、これに限定されるものではない。例えば、これら４つに加え、ライトシアン、ライトマゼンタ、及びライトイエロー等の色に対応する液滴吐出ヘッドを有する構成であってもよい。
【００８０】
そして、三つ以上の異なる液滴吐出ヘッド７０から吐出される三色以上のインク滴（液滴）で多次色の画像を形成する場合にも、インク滴の大きさを連帳紙Ｐの搬送速度に応じて、画像のΔＥ（色差）が小さくなるように、搬送速度に応じて前記液滴吐出装置から吐出される単位面積当たりの液滴の濃度を変化させる。
【００８１】
また、例えば、上記実施形態では、搬送速度と単位面積当たりの液滴の濃度との関係を予め実験等によって求め、制御部の記憶手段に記憶させたが、これに限定されるものではない。制御部が搬送速度や多次色等の各種情報に基づいて、搬送速度に応じて吐出する単位面積当たりの液滴の濃度を計算してもよい。
【００８２】
要は、二つ以上の液滴吐出装置から吐出された異なる色の液滴で多次色の画像を形成する場合には、色差が小さくなるように、搬送速度に応じて液滴吐出装置から吐出される単位面積当たりの液滴の濃度を変化さればよい。
【００８３】
また、例えば、上記実施形態では、連帳紙Ｐに画像を形成する画像形成装置に適用したが、これに限定されない。搬送速度が可変である枚葉紙に画像を形成する画像形成装置にも本発明を適用することができる。
【００８４】
また、画像形成装置の構成としては、上記実施形態の構成に限られず種々の構成とすることが可能である。更に、本発明の要旨を逸脱しない範囲において、種々なる態様で実施し得ることは言うまでもない。
【符号の説明】
【００８５】
１０      画像形成装置
１２      前処理ユニット（搬送装置の一例）
１４      後処理ユニット（搬送装置の一例）
２０      制御部（制御手段）
３０      画像形成ユニット（搬送装置の一例）
７０      液滴吐出ヘッド（液滴吐出装置の一例）
Ｐ      連帳紙（記録媒体の一例）
【図１】
2015013454.tif 000003
【図２】
2015013454.tif 000004
【図３】
2015013454.tif 000005
【図４】
2015013454.tif 000006
【図５】
2015013454.tif 000007
【図６】
2015013454.tif 000008
【図７】
2015013454.tif 000009
【図８】
2015013454.tif 000010
【図９】
2015013454.tif 000011
【図１０】
2015013454.tif 000012